(57)【特許請求の範囲】
【請求項１】
オートロック式回転リフトペンであって、第１軸体１、第２軸筒２、ペン芯３と復帰ばね
４を含み、ペン芯３と復帰ばね４はいずれも第１軸体１内に套接され、第１軸体１とペン
芯３は第２軸筒２内に套接され、第１軸体１は握持部１１と套接部１２からなり、套接部
１２に１つまたはそれ以上の異形組合溝１３が設けられ、前記異形組合溝１３は上から下
へ順次に取付切込溝１３１、十字溝１３２および係合溝１３３からなり、異形組合溝１３
内にさらに延伸内軸１４が設けられ、延伸内軸１４は取付切込溝１３１から係合溝１３３
内まで延伸しており、延伸内軸１４に取付突起１４１と異形凸ブロック１４２が設けられ
、取付突起１４１は取付切込溝１３１と十字溝１３２の間に位置し、異形凸ブロック１４
２は係合溝１３３内に位置し、前記係合溝１３３は異形凸ブロック１４２によってそれぞ
れ係合切替エリア１３５、係合進入エリア１３６、係合反落エリア１３４に区画され、か
つ係合溝１３３内に反落復位スロープ１３７が設けられ、第２軸筒２内に異形組合溝１３
において移動可能に係合折返フック２１が設けられ、異形凸ブロック１４２の表面にスロ
ープ補助道１４２１が設けられ、その係合切替エリア１３５側にさらに係合凹溝１４２２
が設けられ、係合折返フック２１の異形組合溝１３内における位置関係は二種類の係合状
態を決定し、係合状態は、
ア）使用状態
この状態では、係合折返フック２１は異形凸ブロック１４２内に位置し、かつ係合凹溝１
４２２内に位置し、この場合、ペン芯のペン先は第１軸体１から一部が露出する状態であ
る、
又は
イ）携帯状態
この状態では、係合折返フック２１が十字溝１３２内に位置し、この場合、ペン芯は完全
に第１軸体１および第２軸筒２内に隠れている状態であり、
十字溝１３２の両側にさらにそれぞれオートロック溝１３２２が設けられ、オートロック
溝１３２２と十字溝１３２の間にさらにそれぞれ補助進スロープ１３２３とオートロック
補助スロープ１３２１が設けられ、オートロック溝１３２２と補助進スロープ１３２３お
よびオートロック補助スロープ１３２１との間に抜止突起１３２２１がさらに設けられ、
係合折返フック２１は補助進スロープ１３２３とオートロック補助スロープ１３２１を越
えて、抜止突起１３２２１の抵抗力を克服して、オートロック溝１３２２を出入すること
ができ、それによって第３係合状態になり、オートロック状態となり、係合折返フック２
１はオートロック溝１３２２内に位置し、ペン芯は完全に第１軸体１と第２軸筒２内に隠
れており、且つ、第１軸体１と第２軸筒２の上下移動関係はロックされ、第１軸体１と第
２軸筒２の互いの上下移動は不可能になり、
係合折返フック２１は内向きに湾曲する折返フック状構成とすることにより、係合凹溝１
４２２に係り付けることができ、容易に横方向から係合凹溝１４２２に進入しながら横方
向に係合凹溝１４２２から脱離することができないようにでき、係合凹溝１４２２の左右
両側を越えて係合凹溝１４２２から滑り出ることに影響せず、
第１軸体１に対して第２軸筒２が回転可能であり、第１軸体１に対して第２軸筒２を回転
させることにより、オートロック式回転リフトペンの使用状態及び携帯状態の切替えが可
能となる、
ことを特徴とするオートロック式回転リフトペン。
【請求項２】
記係合凹溝１４２２の両側にリーディングアウト補助スロープ１４２３が設けられ、その
開口から外側へ係合折返フック２１を係合凹溝１４２２の両側へ係合凹溝１４２２から離
させるように作用する、ことを特徴とする請求項１に記載のオートロック式回転リフトペ
ン。
【請求項３】
異形凸ブロック１４２の係合進入エリア１３６側の端部にさらに案内進入スロープ１４２
４が設けられ、案内進入スロープ１４２４の開口は外向きであり、係合折返フック２１を
係合進入エリア１３６からスロープ補助道１４２１へ進入させるように作用する、ことを
特徴とする請求項２に記載のオートロック式回転リフトペン。
【請求項４】
延伸内軸１４と十字溝１３２および係合溝１３３との間に隙間が設けられ、互いに接触せ
ず、異形凸ブロック１４２は係合溝１３３と接触せず、延伸内軸１４と取付切込溝１３１
の両壁との間に隙間が設けられ、延伸内軸１４の底壁と取付切込溝１３１とが相接し、取
付突起１４１は十字溝１３２と取付切込溝１３１とに接触せず、延伸内軸１４はその底壁
が取付切込溝１３１に相接し、また取付突起１４１が延伸内軸１４の底壁に異形凸ブロッ
ク１４２より近いので、同等の外力であればそれが受けた外力による変形幅が、前記異形
凸ブロック１４２が受けた外力の圧力による前記延伸内軸１４の変形幅より小さく、係合
折返フックが取付突起１４１を越えるのに必要な力が、係合折返フックが異形凸ブロック
１４２を越えるのに必要な力よりも大きい、ことを特徴とする請求項３に記載のオートロ
ック式回転リフトペン。
【請求項５】
第１軸体１の握持部１１に握持スリーブが套接して設置され、第２軸筒２に水掻きスリー
ブが套接して設置され、握持スリーブと水掻きスリーブはいずれもソフトゴムスリーブと
する、ことを特徴とする請求項１に記載のオートロック式回転リフトペン。
【発明の詳細な説明】
【技術分野】
【０００１】
本発明は、ペンに関し、特にオートロック式回転リフトペンに関する。
【背景技術】
【０００２】
現在、科学技術の急速な発展により、人類の生活の質は向上を続けているが、ペンの改善
と研究に対しては停滞している。今はスマート時代であるが、コンピュータと携帯電話が
人類の生活を占有している。しかし、筆記具は伝統的な文明の記録方式として、その存在
の必要性は、現在においてもまだ取って代わることができない。
【０００３】
筆記具の最も重要な二つの点は、一、筆記具の芯、二、筆記具のケースの構造設計である
。上記の二点に対して、人類はずっと改善と研究をしている。既存のケースの設計技術は
すでに熟している。しかし、操作方式は単一で、操作のステップが多く、今は人工工学が
重んじられ、筆記具の人体工学に関して、ほとんどは筆記具で書くときのグリップ感に関
するものであり、その根本的な操作方式の改善は無視されてきた。
【発明の概要】
【０００４】
本発明の目的は、従来における単一の操作方式、オートロック不可能という欠陥を解決で
きるオートロック式回転リフトペンを提供する。
【０００５】
上記の発明の目的を達成するために、本発明は以下の技術方案を採用する。
【０００６】
本発明に係るオートロック式回転リフトペンは、第１軸体、第２軸筒、ペン芯と復帰ばね
を含み、ペン芯と復帰ばねはいずれも第１軸体内に套接され、第１軸体とペン芯は第２軸
筒内に套接され、第１軸体は握持部と套接部からなり、套接部に１つまたはそれ以上の異
形組合溝が設けられ、異形組合溝は順次に取付切込溝、十字溝および係合溝を配列してな
り、異形組合溝内にさらに延伸内軸が設けられ、延伸内軸は取付切込溝から係合溝内まで
延伸しており、延伸内軸に取付突起と異形凸ブロックが設けられ、取付突起は取付切込溝
と十字溝の間に位置し、異形凸ブロックは係合溝内に位置し、係合溝は異形凸ブロックに
よってそれぞれ係合切替エリア、係合進入エリア、係合反落エリアおよび反落復位スロー
プに区画され、第２軸筒内に異形組合溝において移動可能に係合折返フックが設けられ、
異形凸ブロックの表面にスロープ補助道が設けられ、その係合切替エリア側にさらに係合
凹溝が設けられ、係合折返フックの異形組合溝内における位置関係は二種類の係合状態を
決定し、係合状態は、
ア）使用状態
この状態では、係合折返フックは異形凸ブロック内に位置し、かつ係合凹溝内に位置し、
この場合、ペン芯のペン先は第１軸体から一部が露出する状態にあり、
又は
イ）携帯状態
この状態では、係合折返フックが十字溝内に位置し、この場合、ペン芯は完全に第１軸体
および第２軸筒内に隠れている。
【０００７】
好ましくは、第１軸体、第２軸筒、ペン芯と復帰ばねを含み、ペン芯と復帰ばねがいずれ
も第１軸体内に套接し、第１軸体とペン芯が第２軸筒内に套接しており、第２軸筒は多翼
部品と軸筒体からなり、多翼状部品に２つまたはそれ以上の多翼延伸軸が延設され、多翼
状部品と軸筒体が係合接続され、軸筒体は多翼状部品に対して回転可能であり、第１軸体
は握持部と套接部からなり、握持部に多翼延伸軸と同数の多翼溝が設けられ、多翼延伸軸
は多翼溝内に滑動自在に取付られ、套接部に１つまたはそれ以上異形組合溝が設けられ、
異形組合溝は順次に取付切込溝、十字溝および係合溝を配列してなり、さらに異形組合溝
内に延伸内軸が設けられ、延伸内軸は取付切込溝から係合溝内まで延伸しており、延伸内
軸に取付突起と異形凸ブロックが設けられ、取付突起は取付切込溝と十字溝の間に位置し
、異形凸ブロックは係合溝内に位置し、係合溝は異形凸ブロックによってそれぞれ係合切
替エリア、係合進入エリア、係合反落エリアおよび反落復位スロープに区画され、第２軸
筒内に異形組合溝において移動可能に係合折返フックが設けられ、さらに異形凸ブロック
の表面にスロープ補助道が設けられ、その係合切替エリア側にさらに係合凹溝が設けられ
、
係合折返フックの異形組合溝内における位置関係は２つの係合状態を決定しており、係合
状態は、
ア）使用状態
この状態では、係合折返フックは異形凸ブロック内に位置し、かつ係合凹溝内に位置し、
この場合、ペン芯のペン先は第１軸体から一部が露出する状態にあり、
又は
イ）携帯状態
この状態では、係合折返フックが十字溝内に位置し、この場合、ペン芯は完全に第１軸体
および第２軸筒内に隠れている。
【０００８】
好ましくは、十字溝の両側にさらにそれぞれオートロック溝が設けられ、オートロック溝
と十字溝の間にさらにそれぞれ補助進スロープとオートロック補助スロープが設けられ、
オートロック溝と補助進スロープおよびオートロック補助スロープとの間に抜止突起がさ
らに設けられ、係合折返フックは補助進スロープとオートロック補助スロープを越えて、
抜止突起の抵抗力を克服して、オートロック溝を出入することができ、それによって第３
係合状態になり、オートロック状態となり、係合折返フックはオートロック溝内に位置し
、ペン芯は完全に第１軸体と第２軸筒内に隠れており、且つ、第１軸体と第２軸筒の上下
移動関係はロックされ、第１軸体と第２軸筒の互いの上下移動は不可能になる。
【０００９】
好ましくは、係合折返フックの異形組合溝における移動軌跡は、
ａ．取付切込溝から、取付突起を越えて、十字溝に進入し、
ｂ．十字溝から係合溝に進入し、
ｃ．係合溝内で、係合進入エリアにて異形凸ブロックと接触して、スロープ補助道にて異
形凸ブロックを軸心へ偏移させて、延伸内軸を変形させ、それから係合切替エリアに進入
し、係合切替エリアに進入してから、延伸内軸の変形が復位し、異形凸ブロックの構成が
復位し、それによって係合折返フックは係合凹溝内に固定され、
ｄ．次に、第２軸筒を回転させることにより係合折返フックは左または右方向へ移動させ
られ、係合凹溝から脱離して、係合反落エリアに進入し、
ｅ．係合反落エリアに進入してから、復帰ばねの弾力によって係合折返フックは自動的に
反落復位スロープへ移動させられ、
ｆ．一方、反落復位スロープの案内により係合折返フックは係合溝の範囲から脱離させら
れ、再び十字溝内に進入し、
ｇ．ペン芯を交換しない場合は、プロセスｂからｆを繰り返し、
ｈ．ペン芯を交換する場合は、プロセスｆの後は、取付突起を越えて十字溝から取付切込
溝へ移動して、そして異形組合溝から離れる。
【００１０】
好ましくは、係合折返フックの異形組合溝における移動軌跡は、
ａ．取付切込溝から、取付突起を越えて、十字溝に進入し、
ｂ．十字溝から係合溝に進入し、
ｃ．係合溝内で、係合進入エリアにて異形凸ブロックと接触して、スロープ補助道にて異
形凸ブロックを軸心へ偏移させて、延伸内軸を変形させ、それから係合切替エリアに進入
し、係合切替エリアに進入してから、延伸内軸の変形が復位し、異形凸ブロックの構成が
復位し、それによって係合折返フックは係合凹溝内に固定され、
ｄ．次に、第２軸筒を回転させることにより係合折返フックは左または右方向へ移動させ
、係合凹溝から脱離して、係合反落エリアに進入し、
ｅ．係合反落エリアに進入してから、復帰ばねの弾力によって係合折返フックは自動的に
反落復位スロープへ移動させ、
ｆ．一方、反落復位スロープの案内により係合折返フックは係合溝の範囲から脱離させら
れて、再び十字溝内に進入し、
ｇ．ペン芯を交換しない場合は、プロセスｂからｆを繰り返し、
ｈ．ペン芯を交換する場合は、プロセスｆの後は、取付突起を越えて十字溝から取付切込
溝へ移動して、そして異形組合溝から離れ、      
ｉ．オートロックを実施する場合は、プロセスｆの後は、第２軸筒を回転させることによ
り、係合折返フックは左または右方向へ移動し、抜止突起の抵抗力を克服して、オートロ
ック溝に進入し、
ｊ．オートロック状態を解除する場合は、ｉの後は、第２軸筒を回転させることにより、
係合折返フックは左または右方向へ移動し、抜止突起の抵抗力を克服してから、再び十字
溝に進入する。
【００１１】
好ましくは、記係合凹溝の両側にリーディングアウト補助スロープが設けられ、その開口
から外側へ係合折返フックを係合凹溝の両側へ係合凹溝から離させるように作用する。
【００１２】
好ましくは、異形凸ブロックの係合進入エリア側の端部にさらに案内進入スロープが設け
られ、案内進入スロープはその開口が外向きであり、係合折返フックを係合進入エリアか
らスロープ補助道へ進入させるように作用する。
【００１３】
好ましくは、延伸内軸と十字溝および係合溝との間に隙間が設けられ、互いに接触せず、
異形凸ブロックも係合溝とは接触せず、延伸内軸と取付切込溝の両壁との間にも隙間が設
けられ、延伸内軸の底壁と取付切込溝とが相接するので、取付突起は十字溝と取付切込溝
とに接触せず、延伸内軸はその底壁が取付切込溝に相接し、また取付突起が延伸内軸の底
壁に異形凸ブロックより近いので、同等外力であればそれが受けた外力による変形幅が、
前記異形凸ブロックが受けた外力の圧力による前記延伸内軸の変形幅より小さく、係合折
返フックが取付突起を越えるのに必要な力が、係合折返フックが異形凸ブロックを越える
のに必要な力よりも大きい。
【００１４】
好ましくは、係合折返フックは内向きに湾曲する折返フック状構成とすることにより、係
合凹溝に係り付けることができ、横方向から係合凹溝に進入しながら横方向に係合凹溝か
ら脱離することができないようにでき、係合凹溝の左右両側を越えて係合凹溝から滑り出
ることを影響しない。
【００１５】
好ましくは、第１軸体の握持部に握持スリーブが套接して設置され、第２軸筒に水掻きス
リーブが套接して設置され、握持スリーブと水掻きスリーブはいずれもソフトゴムスリー
ブとする。
【００１６】
本発明は従来の技術と比較して、下記の有利な効果がある。
1）簡易の手振り操作で、筆記状態でありながらペン芯の出入り操作を行う。
2）オートロック構成を備え、不使用の場合は、左または右方向へ一定の幅にて回転させ
れば、オートロックを達成し得る。
3）多翼構成を備え、ペンの外観をより美しくさせ、握持感も向上する。設計上の原因で
、第1軸体と第2軸筒の間に隙間があり、とくに不使用のときに、その隙間が最も大きい。
これに対して、多翼構成を採用すれば、この空いた部分を完璧に遮蔽することができる。
【図面の簡単な説明】
【００１７】
【図１】本発明の実施例１の斜視図である。
【図２】本発明の実施例１の正面図である。
【図３】本発明の図２のＡ-Ａの断面図である。
【図４】本発明の図３の斜視図である。
【図５】本発明の実施例１の分解図である。
【図６】本発明の実施例１に係る第１軸体の斜視図である。
【図７】本発明の図６のＢ箇所における部分的拡大図である。
【図８】本発明の実施例２の斜視図である。
【図９】本発明の実施例２の正面図である。
【図１０】本発明の図９のＣ-Ｃ断面図である。
【図１１】本発明の図１０の斜視図である。
【図１２】本発明の図１１のＥ箇所における部分的拡大図である。
【図１３】本発明の実施例２の分解図である。
【図１４】本発明の実施例２における第１軸体の斜視図である。
【図１５】本発明の図１４のＤ箇所における部分的拡大図である。
【発明を実施するための形態】
【００１８】
以下、図面を用いて、本発明を詳細に説明する。
【００１９】
＜実施例1＞
図1-7に示されるオートロック式回転リフトペンは、第1軸体1、第2軸筒2、ペン芯3と復帰
ばね4を含み、上記ペン芯3と復帰ばね4はいずれも第1軸体1内に套接し、上記第1軸体1と
ペン芯3は第2軸筒2内に套接している。上記第1軸体1は握持部11と套接部12からなる。上
記套接部12に1つまたはそれ以上の異形組合溝13が設けられる。上記異形組合溝13は順次
に取付切込溝131、十字溝132および係合溝133を配列してなる。上記異形組合溝13内にさ
らに延伸内軸14が設けられる。上記延伸内軸14は取付切込溝131から係合溝133内まで延伸
している。上記延伸内軸14に取付突起141と異形凸ブロック142が設けられる。具体的には
、上記取付突起141は取付切込溝131と十字溝132の間に位置し、上記異形凸ブロック142は
係合溝133内に位置する。上記係合溝133は異形凸ブロック142によってそれぞれ係合切替
エリア135、係合進入エリア136、係合反落エリア134および反落復位スロープ137に区画さ
れる。上記第2軸筒2内に異形組合溝13において移動可能に係合折返フック21が設けられる
。さらに上記異形凸ブロック142の表面にスロープ補助道1421が設けられ、その係合切替
エリア135側にさらに係合凹溝1422が設けられる。上記係合折返フック21の異形組合溝13
内における位置関係は二種類の係合状態を決定している。具体的な係合状態は下記のとお
りである。
ア）使用状態
この状態では、係合折返フック21は異形凸ブロック142内に位置し、具体的に係合凹溝142
2内に位置している。この場合、ペン芯のペン先は第1軸体1から一部が露出する状態にあ
る。
イ）携帯状態
この状態では、係合折返フック21が十字溝132内に位置している。この場合、ペン芯は完
全に第1軸体1および第2軸筒2内に隠している。
【００２０】
ペン芯の露出と包隠を実現するために、主に係合折返フックの異形組合溝内における移動
により、2つの安定的な静止位置を生じる。それらが、それぞれペン芯の露出時における
第1軸体と第2軸筒の係合状態と、ペン芯の包隠時における係合状態を実現する。また両状
態間の切替は、係合折返フック21の異形組合溝13における移動軌跡となる。上記係合折返
フック21の異形組合溝13における移動軌跡は具体的に下記のとおりである。
【００２１】
a.取付切込溝131から、取付突起141を越えて、十字溝132に進入する。
b.十字溝132から係合溝133に進入する。
c.係合溝133内で、係合進入エリア136にて異形凸ブロック142と接触して、スロープ補助
道1421にて異形凸ブロック142を軸心へ偏移させて（即ち延伸内軸14を変形させる）、そ
れから係合切替エリアに進入する。係合切替エリアに進入してから、延伸内軸14の変形が
復位する（即ち異形凸ブロック142の構成が復位する）。それによって係合折返フック21
は係合凹溝1422内に固定される。
d.ついでに、第2軸筒2を回転させることにより係合折返フック21は左または右方向へ移動
させられてもよく、係合凹溝1422から脱離して、係合反落エリア134に進入する。
e.係合反落エリア134に進入してから、復帰ばね4の弾力によって係合折返フック21は自動
的に反落復位スロープ137へ移動させられる。
f.一方、反落復位スロープ137の案内により係合折返フック21は係合溝133の範囲から脱離
させられて、再び十字溝132内に進入する。
g.ペン芯を交換しない場合は、上記プロセスbからfを繰り返しす。
a.ペン芯を交換する場合は、上記プロセスfの後は、取付突起141を越えて十字溝132から
取付切込溝131へ移動して、そして異形組合溝13から離れる。
【００２２】
使用状態から携帯状態への切替を快速で省力的に行えるために、上記係合凹溝1422の両側
にリーディングアウト補助スロープ1423が設けられる。その開口から外側へ係合折返フッ
ク21を係合凹溝1422の両側へ係合凹溝1422から離させるように作用する。
【００２３】
係合折返フック21が係合溝に入ったばかりのときに、係合進入エリア以外の他部分へ進入
することにより上記cの動作の完成を影響してしまい、さらに使用状態への切替を影響す
ることを避けるために、上記異形凸ブロック142の係合進入エリア136側の端部にさらに案
内進入スロープ1424が設けられる。上記案内進入スロープ1424はその開口が外向きで、係
合折返フック21を係合進入エリア136からスロープ補助道1421へ進入させるように作用す
る。該案内進入スロープ1424により、係合折返フックの移動軌跡の偏移を効果的に防止す
ることができる。
【００２４】
延伸内軸に良好な弾性と変形性を持たせるために、異形凸ブロックおよび取付突起に一定
の弾性を具備させる。これにより、以降で係合折返フックとの係合を容易にさせる。また
ペン芯の取付および交換時に限って取付突起が機能するので、係合折返フックと取付突起
の係合力が、係合折返フックと異形凸ブロックの係合力より大きくする。これによって、
係合折返フックと異形凸ブロックの係合状態を安定的に確保させ得る上で、係合折返フッ
クが取付突起を越え難く、係合折返フックが不意に異形組合溝から脱離してしまうことを
避ける。上記延伸内軸14と十字溝132および係合溝133との間に隙間が設けられるので、互
いに接触しなく、異形凸ブロック142も係合溝133とは接触しない。上記延伸内軸14と取付
切込溝131の両壁との間にも隙間が設けられるが、延伸内軸14の底壁と取付切込溝131とが
相接するので、取付突起141も十字溝132や取付切込溝131とは接触しない。ただし、延伸
内軸14はその底壁が取付切込溝131に相接するし、また取付突起141が延伸内軸14の底壁に
異形凸ブロック142より近いので、同等外力であればそれに受けた外力による変形幅が、
前記異形凸ブロック142に受けた外力圧迫による前記延伸内軸14の変形幅より小さい。即
ち、係合折返フックが取付突起141を越えるに必要な力が、係合折返フックが異形凸ブロ
ック142を越えるに必要な力より大きい。
【００２５】
係合折返フックが異形凸ブロックの係合凹溝に滑り込んでから、同往路より開係合凹溝か
ら戻り離れなく、側方向経由の移動方式に限って開係合凹溝を離れるようにすることによ
り、係合折返フックが係合凹溝に進入した後の、第1軸体と第2筒体の構成係合の安定性を
確保する。これにより、使用者による筆記力を容易に実施することができる。上記係合折
返フック21は内向きに湾曲する折返フック状構成とすることにより、係合凹溝1422に係り
付けることが容易にできるし、極めて容易に横方向から係合凹溝1422に進入できながら横
方向で係合凹溝1422から脱離することができないようにできる。ただし、それが係合凹溝
1422の左右両側を越えて係合凹溝1422から滑り出ることを阻害しない。
【００２６】
好ましくは、本発明において、上記第1軸体1の握持部11に握持スリーブが套接して設置さ
れてもよく、上記第2軸筒2に水掻きスリーブが套接して設置されてもよい。上記握持スリ
ーブと水掻きスリーブはいずれもソフトゴムスリーブとする。
【００２７】
実施例2：
図8-15に示されるオートロック回転リフトペンは、第1軸体1、第2軸筒2、ペン芯3と復帰
ばね4を含み、上記ペン芯3と復帰ばね4がいずれも第1軸体1内に套接し、上記第1軸体1と
ペン芯3が第2軸筒2内に套接している。上記第2軸筒2は多翼部品22と軸筒体21からなる。
上記多翼状部品22に2つまたはそれ以上の多翼延伸軸221が延設される。上記多翼状部品22
と軸筒体21が係合接続される。上記軸筒体21は多翼状部品22に対して回転可能である。上
記第1軸体1は握持部11と套接部12からなる。上記握持部11に多翼延伸軸221と同数の多翼
溝111が設けられる。上記多翼延伸軸221は多翼溝111内に滑動自在に取付される。上記套
接部12に1つまたはそれ以上異形組合溝13が設けられる。上記異形組合溝13は順次に取付
切込溝131、十字溝132および係合溝133を配列してなる。さらに上記異形組合溝13内に延
伸内軸14が設けられる。上記延伸内軸14は取付切込溝131から係合溝133内まで延伸してい
る。上記延伸内軸14に取付突起141と異形凸ブロック142が設けられる。具体的には、上記
取付突起141は取付切込溝131と十字溝132の間に位置し、上記異形凸ブロック142は係合溝
133内に位置する。上記係合溝133は異形凸ブロック142によってそれぞれ係合切替エリア1
35、係合進入エリア136、係合反落エリア134および反落復位スロープ137に区画される。
上記第2軸筒2内に異形組合溝13において移動可能に係合折返フック21が設けられる。さら
に上記異形凸ブロック142の表面にスロープ補助道1421が設けられ、その係合切替エリア1
35側にさらに係合凹溝1422が設けられる。
【００２８】
上記係合折返フック21の異形組合溝13内における位置関係は2つの係合状態を決定してい
る。具体的な係合状態は下記のとおりである。
【００２９】
ア）使用状態
この状態では、係合折返フック21は異形凸ブロック142内に位置し、具体的に係合凹溝142
2内に位置している。この場合、ペン芯のペン先は第1軸体1から一部が露出する状態にあ
る。
イ）携帯状態
この状態では、係合折返フック21が十字溝132内に位置している。この場合、ペン芯は完
全に第1軸体1および第2軸筒2内に隠している。
【００３０】
外勤などで携帯されるときに、ペン芯が外力で露出されることがないように、第1軸体と
第2軸筒の上下移動をロッカする機能を実現するために、上記十字溝132の両側にさらにそ
れぞれオートロック溝1322が設けられる。上記オートロック溝1322と十字溝132の間にさ
らにそれぞれ補助進スロープ1323とオートロック補助スロープ1321が設けられる。上記オ
ートロック溝1322と補助進スロープ1323およびオートロック補助スロープ1321との間に抜
止突起13221がさらに設けられる。上記係合折返フック21は補助進スロープ1323とオート
ロック補助スロープ1321を越え得、抜止突起13221の抵抗力を克服して、オートロック溝1
322を出入することができる。それによって第3係合状態、即ちオートロック状態を具備さ
せる。この時に、係合折返フック21はオートロック溝1322内に位置し、ペン芯は完全に第
1軸体1と第2軸筒2内に隠している。且つ、第1軸体1と第2軸筒2の上下移動関係はロッカさ
れ、第1軸体1と第2軸筒2は互いの上下移動は不可能になる。
【００３１】
ペン芯の露出と包隠を実現するために、主に係合折返フックの異形組合溝内における移動
により、3つの安定的な静止位置を生じる。それらはそれぞれ、ペン芯の露出時における
第1軸体と第2軸筒の係合状態と、ペン芯の包隠時における係合状態と、ペン芯を隠してい
るとともに第1軸体と第2軸筒の上下移動機能をロッカする時における第1軸体と第2軸筒の
係合状態とを実現する。また3状態間の切替は、係合折返フック21の異形組合溝13におけ
る移動軌跡となる。上記係合折返フック21の異形組合溝13における移動軌跡は具体的に下
記のとおりである。
【００３２】
a.取付切込溝131から、取付突起141を越えて、十字溝132に進入する。
b.十字溝132から係合溝133に進入する。
c.係合溝133内で、係合進入エリア136にて異形凸ブロック142と接触して、スロープ補助
道1421にて異形凸ブロック142を軸心へ偏移させて（即ち延伸内軸14を変形させる）、そ
れから係合切替エリアに進入する。係合切替エリアに進入してから、延伸内軸14の変形が
復位する（即ち異形凸ブロック142の構成が復位する）。それによって係合折返フック21
は係合凹溝1422内に固定される。
d.ついでに、第2軸筒2を回転させることにより係合折返フック21は左または右方向へ移動
させられてもよく、係合凹溝1422から脱離して、係合反落エリア134に進入する。
e.係合反落エリア134に進入してから、復帰ばね4の弾力によって係合折返フック21は自動
的に反落復位スロープ137へ移動させられる。
f.一方、反落復位スロープ137の案内により係合折返フック21は係合溝133の範囲から脱離
させられて、再び十字溝132内に進入する。
g.ペン芯を交換しない場合は、上記プロセスbからfを繰り返しす。
h.ペン芯を交換する場合は、上記プロセスfの後は、取付突起141を越えて十字溝132から
取付切込溝131へ移動して、そして異形組合溝13から離れる。   
i.オートロックを実施する場合は、上記プロセスfの後は、第2軸筒2を回転させることに
より、係合折返フック21は左または右方向へ移動し、抜止突起13221の抵抗力を克服して
から、オートロック溝1322に進入する。
b.オートロック状態を解除する場合は、iの後は、第2軸筒2を回転させることにより、係
合折返フック21は左または右方向へ移動し、抜止突起13221の抵抗力を克服してから、再
び十字溝132に進入する。
【００３３】
使用状態から携帯状態への切替を快速で省力的に行えるために、上記係合凹溝1422の両側
にリーディングアウト補助スロープ1423が設けられる。その開口から外側へ係合折返フッ
ク21を係合凹溝1422の両側へ係合凹溝1422から離させるように作用する。
【００３４】
係合折返フック21が係合溝に入った直後に係合進入エリア以外の他部分へ進入することに
より上記cの動作の完成を影響してしまい、さらに使用状態への切替を影響することを避
けるために、上記異形凸ブロック142の係合進入エリア136側の端部にさらに案内進入スロ
ープ1424が設けられる。上記案内進入スロープ1424はその開口が外向きで、係合折返フッ
ク21を係合進入エリア136からスロープ補助道1421へ進入させるように作用する。該案内
進入スロープ1424により、係合折返フックの移動軌跡の偏移を効果的に防止することがで
きる。
【００３５】
延伸内軸に良好な弾性と変形性を持たせるために、異形凸ブロックおよび取付突起に一定
の弾性を具備させる。これにより、以降で係合折返フックとの係合を容易にさせる。また
ペン芯の取付および交換時に限って取付突起が機能するので、係合折返フックと取付突起
の係合力が、係合折返フックと異形凸ブロックの係合力より大きくする。これによって、
係合折返フックと異形凸ブロックの係合状態を安定的に確保させ得る上で、係合折返フッ
クが取付突起を越え難く、係合折返フックが不意に異形組合溝から脱離してしまうことを
避ける。上記延伸内軸14と十字溝132および係合溝133との間に隙間が設けられるので、互
いに接触しなく、異形凸ブロック142も係合溝133とは接触しない。上記延伸内軸14と取付
切込溝131の両壁との間にも隙間が設けられるが、延伸内軸14の底壁と取付切込溝131とが
相接するので、取付突起141も十字溝132や取付切込溝131とは接触しない。ただし、延伸
内軸14はその底壁が取付切込溝131に相接するし、また取付突起141が延伸内軸14の底壁に
異形凸ブロック142より近いので、同等外力であればそれに受けた外力による変形幅が、
前記異形凸ブロック142に受けた外力圧迫による前記延伸内軸14の変形幅より小さい。即
ち、係合折返フックが取付突起141を越えるに必要な力が、係合折返フックが異形凸ブロ
ック142を越えるに必要な力より大きい。
【００３６】
係合折返フックが異形凸ブロックの係合凹溝に滑り込んでから、同往路より開係合凹溝か
ら戻り離れなく、側方向経由の移動方式に限って開係合凹溝を離れるようにすることによ
り、係合折返フックが係合凹溝に進入した後の、第1軸体と第2筒体の構成係合の安定性を
確保する。これにより、使用者による筆記力を容易に実施することができる。上記係合折
返フック21は内向きに湾曲する折返フック状構成とすることにより、係合凹溝1422に係り
付けることが容易にできるし、極めて容易に横方向から係合凹溝1422に進入できながら横
方向で係合凹溝1422から脱離することができないようにできる。ただし、それが係合凹溝
1422の左右両側を越えて係合凹溝1422から滑り出ることを阻害しない。
【００３７】
好ましくは、本発明において、上記第1軸体1の握持部11に握持スリーブが套接して設置さ
れてもよく、上記第2軸筒2に水掻きスリーブが套接して設置されてもよい。上記握持スリ
ーブと水掻きスリーブはいずれもソフトゴムスリーブとする。
【図１】
0006900619.tif 000002
【図２】
0006900619.tif 000003
【図３】
0006900619.tif 000004
【図４】
0006900619.tif 000005
【図５】
0006900619.tif 000006
【図６】
0006900619.tif 000007
【図７】
0006900619.tif 000008
【図８】
0006900619.tif 000009
【図９】
0006900619.tif 000010
【図１０】
0006900619.tif 000011
【図１１】
0006900619.tif 000012
【図１２】
0006900619.tif 000013
【図１３】
0006900619.tif 000014
【図１４】
0006900619.tif 000015
【図１５】
0006900619.tif 000016